(57)【要約】      （修正有）【課題】収納袋に紙葉類を収納する際に当該収納袋の底部に集積される紙葉類が水平方向に対して傾いてしまうことを防止することができるため収納袋内の紙葉類の集積状態を安定させることができる紙葉類収納機構、紙葉類処理機および紙葉類収納方法を提供する。【解決手段】紙葉類収納機構（例えば、紙幣収納機構３２）には、保持部（例えば、保持部材３６）により保持される収納袋（例えば、紙幣収納袋３４）の内部に進入して載置部（例えば、ステージ４０）に向かってこの収納袋の一部を内側から押圧することにより当該収納袋における載置部に載置される部分を紙幣を集積可能な状態とする押圧部（例えば、押し込み板４６）が設けられており、収納袋の内部に紙葉類を送る前に、当該収納袋の内部に押圧部を進入させて載置部に向かってこの収納袋の一部を押圧させる。【選択図】図２
2018070270.tif 000002
【特許請求の範囲】
【請求項１】
一方に開口が設けられた収納袋の内部に紙葉類を収納させるための紙葉類収納機構であって、
前記収納袋における前記開口近傍の箇所を保持するための保持部と、
前記保持部により保持される前記収納袋の内部に紙葉類を送ることによって当該収納袋の内部に紙葉類を収納させる紙葉類送り出し部と、
略鉛直方向に移動可能となっており、前記保持部により保持される前記収納袋の少なくとも一部が載置される載置部と、
前記保持部により保持される前記収納袋の内部に進入して前記載置部に向かってこの収納袋の一部を内側から押圧することにより当該収納袋における前記載置部に載置される部分を紙葉類を集積可能な状態とする押圧部と、
前記押圧部の駆動を行う駆動部と、
前記保持部により保持される前記収納袋の内部に前記紙葉類送り出し部により紙葉類を送る前に、前記保持部により保持される前記収納袋の内部に前記押圧部を進入させて前記載置部に向かってこの収納袋の一部を押圧させるよう前記駆動部を制御する制御部と、
を備えた、紙葉類収納機構。
【請求項２】
前記保持部により保持される前記収納袋に収納される前の紙葉類を一時的に保留する一時保留部を更に備え、
前記一時保留部は、前記紙葉類送り出し部から送られた紙葉類を一時的に保留するようになっており、
前記制御部は、前記保持部により保持される前記収納袋の内部に紙葉類を送る際に、前記一時保留部に保留される紙葉類を前記押圧部により前記収納袋の内部に押し込むよう前記駆動部を制御するようになっている、請求項１記載の紙葉類収納機構。
【請求項３】
前記制御部は、前記保持部により保持される前記収納袋の内部に前記紙葉類送り出し部により紙葉類が送られた後に、前記保持部により保持される前記収納袋の内部に前記押圧部を進入させてこの収納袋の内部に集積されている紙葉類を介して当該収納袋の一部を前記載置部に向かって押圧させるよう前記駆動部を制御するようになっている、請求項１または２記載の紙葉類収納機構。
【請求項４】
前記制御部は、前記保持部により保持される前記収納袋の内部に前記押圧部を進入させて前記載置部に向かってこの収納袋の一部を押圧させた後、前記載置部を上昇させるよう当該載置部を制御するようになっている、請求項１乃至３のいずれか一項に記載の紙葉類収納機構。
【請求項５】
前記押圧部が前記保持部により保持される前記収納袋の内部に進入して前記載置部に向かってこの収納袋の一部を内側から押圧する際に、当該収納袋の一部が前記押圧部と前記載置部との間で挟圧されるようになっている、請求項１乃至４のいずれか一項に記載の紙葉類収納機構。
【請求項６】
前記押圧部が前記保持部により保持される前記収納袋の内部に進入して前記載置部に向かってこの収納袋の一部を内側から押圧する際に、前記押圧部と前記載置部との間にわずかな隙間が形成されるようになっている、請求項１乃至４のいずれか一項に記載の紙葉類収納機構。
【請求項７】
前記保持部は、当該保持部により保持される前記収納袋の前記開口近傍の箇所を熱により接着させて封止する第１加熱部材を有している、請求項１乃至６のいずれか一項に記載の紙葉類収納機構。
【請求項８】
前記押圧部は複数の押圧部分を含み、
各前記押圧部分は、前記保持部により保持される前記収納袋の内部に進入した後、当該収納袋の外側に広がるようそれぞれ移動することによりこの収納袋における前記載置部に載置される部分を紙葉類を集積可能な状態とするようになっている、請求項１乃至７のいずれか一項に記載の紙葉類収納機構。
【請求項９】
前記載置部には、前記保持部により保持される前記収納袋の一部が通る開口が設けられている、請求項１乃至８のいずれか一項に記載の紙葉類収納機構。
【請求項１０】
前記載置部は複数の載置部分を含み、各前記載置部分は他の前記載置部分に接近する方向および離間する方向にそれぞれ移動可能となっており、
互いに離間した各前記載置部分の間の隙間に前記保持部により保持される前記収納袋の一部が位置する状態で、当該収納袋の内部に前記押圧部が進入して当該押圧部により前記収納袋を内側から各前記載置部分に押圧することにより、前記収納袋における前記載置部に載置される部分を紙葉類を集積可能な状態とするようになっている、請求項１乃至８のいずれか一項に記載の紙葉類収納機構。
【請求項１１】
前記制御部は、前記保持部により保持される前記収納袋の内部に前記押圧部を進入させる前に、互いに離間した各前記載置部分の間に当該収納袋の一部が位置する状態でこれらの前記載置部分を互いに接近させる方向に移動させ、各前記載置部分により前記収納袋の一部を挟むようになっている、請求項１０記載の紙葉類収納機構。
【請求項１２】
少なくとも１つの前記載置部分は、前記保持部により保持される前記収納袋における前記載置部の近傍の箇所を熱により接着させて封止する第２加熱部材を有している、請求項１０または１１記載の紙葉類収納機構。
【請求項１３】
紙葉類の処理を行うための紙葉類処理機であって、
一方に開口が設けられた収納袋の内部に紙葉類を収納させるための紙葉類収納機構であって、前記収納袋における前記開口近傍の箇所を保持するための保持部と、略鉛直方向に移動可能となっており、前記保持部により保持される前記収納袋の少なくとも一部が載置される載置部と、前記保持部により保持される前記収納袋の内部に進入して前記載置部に向かってこの収納袋の一部を内側から押圧することにより当該収納袋における前記載置部に載置される部分を紙葉類を集積可能な状態とする押圧部と、前記押圧部の駆動を行う駆動部とを有する紙葉類収納機構と、
前記紙葉類収納機構に紙葉類を送る本体部分と、
前記紙葉類収納機構の前記保持部により保持される前記収納袋の内部に前記本体部分から紙葉類を送る前に、前記保持部により保持される前記収納袋の内部に前記押圧部を進入させて前記載置部に向かってこの収納袋の一部を押圧させるよう前記駆動部を制御する制御部と、
を備えた、紙葉類処理機。
【請求項１４】
一方に開口が設けられた収納袋の内部に紙葉類を収納させるための紙葉類収納方法であって、
前記収納袋における前記開口近傍の箇所を保持部により保持させる工程と、
前記保持部により保持される前記収納袋の内部に紙葉類を送る前に、前記保持部により保持される前記収納袋の内部に押圧部を進入させ、前記保持部により保持される前記収納袋の少なくとも一部が載置される載置部に向かって当該押圧部によってこの収納袋の一部を押圧させることにより当該収納袋における前記載置部に載置される部分を紙葉類を集積可能な状態とする工程と、
前記保持部により保持される前記収納袋における前記載置部に載置される部分を紙葉類を集積可能な状態とした後、当該収納袋の内部に紙葉類を送る工程と、
を備えた、紙葉類収納方法。
【発明の詳細な説明】
【技術分野】
【０００１】
本発明は、一方に開口が設けられたパウチ袋等の収納袋の内部に紙幣等の紙葉類を収納させるための紙葉類収納機構、このような紙葉類収納機構を備えた紙葉類処理機およびこのような紙葉類収納機構による紙葉類収納方法に関する。
【背景技術】
【０００２】
紙幣等の紙葉類の入金処理を行う紙葉類処理機において、機体内に取り込まれた紙葉類をパウチ袋等の収納袋に収納させるようなタイプのものが従来から用いられている。このような紙葉類処理機として、例えば特許文献１等に開示されるものが従来から知られている。特許文献１によれば、このような紙葉類処理機は、例えばスーパーマーケット等の店舗におけるバックヤード領域に設置される現金出納装置の一部（具体的には、紙幣出納装置）として用いられるようになっており、当該現金出納装置は、フロント領域に設けられた現金精算装置へ装填するための釣銭準備金としての貨幣を出金したり、現金精算装置から回収した売上金としての貨幣を入金したりするようになっている。
【０００３】
このような紙葉類処理機において、パウチ袋等の収納袋の内部に紙幣を収納させるための紙幣収納機構として例えば特許文献２に示すような機構が用いられるようになっている。特許文献２に開示される機構では、パウチ袋の開口を開いた状態で当該パウチ袋の開口の近傍部分を棒状の一対の保持部材により保持させた後、これらの保持部材よりも下方において鉛直方向に移動可能となっているプラットフォームの開口部にパウチ袋の一部を通し、プラットフォームよりも下方に位置するパウチ袋を絞るとともにプラットフォームよりも上方に位置するパウチ袋を当該プラットフォームの上面により広げてこのパウチ袋の内部に紙幣が集積されやすいようにしている。
【先行技術文献】
【特許文献】
【０００４】
【特許文献１】特開２０１２−１７４１３０号公報
【特許文献２】欧州特許公開公報ＥＰ２７３６０２５Ａ１
【発明の概要】
【発明が解決しようとする課題】
【０００５】
しかしながら、特許文献２に開示される機構では、一対の保持部材により保持されるパウチ袋について、プラットフォームよりも上方に位置するパウチ袋の底部を平らに形作っておらず、単純にプラットフォームよりも上方に位置するパウチ袋を当該プラットフォームの上面により広げているに過ぎないため、パウチ袋に紙幣を収納する際に、パウチ袋の底部に集積された紙幣が水平方向に対して傾いてしまい、パウチ袋内の紙幣の集積状態が安定しないという問題があった。
【０００６】
本発明は、このような点を考慮してなされたものであり、収納袋に紙葉類を収納する際に当該収納袋の底部に集積される紙葉類が水平方向に対して傾いてしまうことを防止することができるため収納袋内の紙葉類の集積状態を安定させることができる紙葉類収納機構、紙葉類処理機および紙葉類収納方法を提供することを目的とする。
【課題を解決するための手段】
【０００７】
本発明の紙葉類収納機構は、一方に開口が設けられた収納袋の内部に紙葉類を収納させるための紙葉類収納機構であって、前記収納袋における前記開口近傍の箇所を保持するための保持部と、前記保持部により保持される前記収納袋の内部に紙葉類を送ることによって当該収納袋の内部に紙葉類を収納させる紙葉類送り出し部と、略鉛直方向に移動可能となっており、前記保持部により保持される前記収納袋の少なくとも一部が載置される載置部と、前記保持部により保持される前記収納袋の内部に進入して前記載置部に向かってこの収納袋の一部を内側から押圧することにより当該収納袋における前記載置部に載置される部分を紙葉類を集積可能な状態とする押圧部と、前記押圧部の駆動を行う駆動部と、前記保持部により保持される前記収納袋の内部に前記紙葉類送り出し部により紙葉類を送る前に、前記保持部により保持される前記収納袋の内部に前記押圧部を進入させて前記載置部に向かってこの収納袋の一部を押圧させるよう前記駆動部を制御する制御部と、を備えたことを特徴とする。
【０００８】
このような紙葉類収納機構によれば、保持部により保持される収納袋の内部に紙葉類を送る前に、当該収納袋の内部に押圧部を進入させ、この収納袋の少なくとも一部が載置される載置部に向かって押圧部によってこの収納袋の一部を押圧させることにより当該収納袋における載置部に載置される部分を紙葉類を集積可能な状態とすることにより、前もって収納袋の底部に紙葉類を集積可能とするような形状のクセを形成することができ、よって収納袋に紙葉類を収納する際に当該収納袋の底部に集積される紙葉類が水平方向に対して傾いてしまうことを防止することができるため収納袋内の紙葉類の集積状態を安定させることができる。
【０００９】
本発明の紙葉類収納機構は、前記保持部により保持される前記収納袋に収納される前の紙葉類を一時的に保留する一時保留部を更に備え、前記一時保留部は、前記紙葉類送り出し部から送られた紙葉類を一時的に保留するようになっており、前記制御部は、前記保持部により保持される前記収納袋の内部に紙葉類を送る際に、前記一時保留部に保留される紙葉類を前記押圧部により前記収納袋の内部に押し込むよう前記駆動部を制御するようになっていてもよい。
【００１０】
本発明の紙葉類収納機構においては、前記制御部は、前記保持部により保持される前記収納袋の内部に前記紙葉類送り出し部により紙葉類が送られた後に、前記保持部により保持される前記収納袋の内部に前記押圧部を進入させてこの収納袋の内部に集積されている紙葉類を介して当該収納袋の一部を前記載置部に向かって押圧させるよう前記駆動部を制御するようになっていてもよい。
【００１１】
本発明の紙葉類収納機構においては、前記制御部は、前記保持部により保持される前記収納袋の内部に前記押圧部を進入させて前記載置部に向かってこの収納袋の一部を押圧させた後、前記載置部を上昇させるよう当該載置部を制御するようになっていてもよい。
【００１２】
本発明の紙葉類収納機構においては、前記押圧部が前記保持部により保持される前記収納袋の内部に進入して前記載置部に向かってこの収納袋の一部を内側から押圧する際に、当該収納袋の一部が前記押圧部と前記載置部との間で挟圧されるようになっていてもよい。
【００１３】
あるいは、前記押圧部が前記保持部により保持される前記収納袋の内部に進入して前記載置部に向かってこの収納袋の一部を内側から押圧する際に、前記押圧部と前記載置部との間にわずかな隙間が形成されるようになっていてもよい。
【００１４】
本発明の紙葉類収納機構においては、前記保持部は、当該保持部により保持される前記収納袋の前記開口近傍の箇所を熱により接着させて封止する第１加熱部材を有していてもよい。
【００１５】
本発明の紙葉類収納機構においては、前記押圧部は複数の押圧部分を含み、各前記押圧部分は、前記保持部により保持される前記収納袋の内部に進入した後、当該収納袋の外側に広がるようそれぞれ移動することによりこの収納袋における前記載置部に載置される部分を紙葉類を集積可能な状態とするようになっていてもよい。
【００１６】
本発明の紙葉類収納機構においては、前記載置部には、前記保持部により保持される前記収納袋の一部が通る開口が設けられていてもよい。
【００１７】
あるいは、前記載置部は複数の載置部分を含み、各前記載置部分は他の前記載置部分に接近する方向および離間する方向にそれぞれ移動可能となっており、互いに離間した各前記載置部分の間の隙間に前記保持部により保持される前記収納袋の一部が位置する状態で、当該収納袋の内部に前記押圧部が進入して当該押圧部により前記収納袋を内側から各前記載置部分に押圧することにより、前記収納袋における前記載置部に載置される部分を紙葉類を集積可能な状態とするようになっていてもよい。
【００１８】
この場合、前記制御部は、前記保持部により保持される前記収納袋の内部に前記押圧部を進入させる前に、互いに離間した各前記載置部分の間に当該収納袋の一部が位置する状態でこれらの前記載置部分を互いに接近させる方向に移動させ、各前記載置部分により前記収納袋の一部を挟むようになっていてもよい。
【００１９】
また、少なくとも１つの前記載置部分は、前記保持部により保持される前記収納袋における前記載置部の近傍の箇所を熱により接着させて封止する第２加熱部材を有していてもよい。
【００２０】
本発明の紙葉類処理機は、紙葉類の処理を行うための紙葉類処理機であって、一方に開口が設けられた収納袋の内部に紙葉類を収納させるための紙葉類収納機構であって、前記収納袋における前記開口近傍の箇所を保持するための保持部と、略鉛直方向に移動可能となっており、前記保持部により保持される前記収納袋の少なくとも一部が載置される載置部と、前記保持部により保持される前記収納袋の内部に進入して前記載置部に向かってこの収納袋の一部を内側から押圧することにより当該収納袋における前記載置部に載置される部分を紙葉類を集積可能な状態とする押圧部と、前記押圧部の駆動を行う駆動部とを有する紙葉類収納機構と、前記紙葉類収納機構に紙葉類を送る本体部分と、前記紙葉類収納機構の前記保持部により保持される前記収納袋の内部に前記本体部分から紙葉類を送る前に、前記保持部により保持される前記収納袋の内部に前記押圧部を進入させて前記載置部に向かってこの収納袋の一部を押圧させるよう前記駆動部を制御する制御部と、を備えたことを特徴とする。
【００２１】
このような紙葉類処理機によれば、紙葉類収納機構において保持部により保持される収納袋の内部に紙葉類を送る前に、当該収納袋の内部に押圧部を進入させ、この収納袋の少なくとも一部が載置される載置部に向かって押圧部によってこの収納袋の一部を押圧させることにより当該収納袋における載置部に載置される部分を紙葉類を集積可能な状態とすることにより、前もって収納袋の底部に紙葉類を集積可能とするような形状のクセを形成することができ、よって収納袋に紙葉類を収納する際に当該収納袋の底部に集積される紙葉類が水平方向に対して傾いてしまうことを防止することができるため収納袋内の紙葉類の集積状態を安定させることができる。
【００２２】
本発明の紙葉類収納方法は、一方に開口が設けられた収納袋の内部に紙葉類を収納させるための紙葉類収納方法であって、前記収納袋における前記開口近傍の箇所を保持部により保持させる工程と、前記保持部により保持される前記収納袋の内部に紙葉類を送る前に、前記保持部により保持される前記収納袋の内部に押圧部を進入させ、前記保持部により保持される前記収納袋の少なくとも一部が載置される載置部に向かって当該押圧部によってこの収納袋の一部を押圧させることにより当該収納袋における前記載置部に載置される部分を紙葉類を集積可能な状態とする工程と、前記保持部により保持される前記収納袋における前記載置部に載置される部分を紙葉類を集積可能な状態とした後、当該収納袋の内部に紙葉類を送る工程と、を備えたことを特徴とする。
【００２３】
このような紙葉類収納方法によれば、保持部により保持される収納袋の内部に紙葉類を送る前に、当該収納袋の内部に押圧部を進入させ、この収納袋の少なくとも一部が載置される載置部に向かって押圧部によってこの収納袋の一部を押圧させることにより当該収納袋における載置部に載置される部分を紙葉類を集積可能な状態とすることにより、前もって収納袋の底部に紙葉類を集積可能とするような形状のクセを形成することができ、よって収納袋に紙葉類を収納する際に当該収納袋の底部に集積される紙葉類が水平方向に対して傾いてしまうことを防止することができるため収納袋内の紙葉類の集積状態を安定させることができる。
【発明の効果】
【００２４】
本発明の紙葉類収納機構、紙葉類処理機および紙葉類収納方法によれば、収納袋に紙葉類を収納する際に当該収納袋の底部に集積される紙葉類が水平方向に対して傾いてしまうことを防止することができるため収納袋内の紙葉類の集積状態を安定させることができる。
【図面の簡単な説明】
【００２５】
【図１】本発明の実施の形態による紙幣処理機の構成の一例を示す概略構成図である。
【図２】図１に示す紙幣処理機における紙幣収納機構の構成の詳細を示す側面図である。
【図３】図２に示す紙幣収納機構における一対の保持部材等の構成を示す斜視図である。
【図４】図２等に示す紙幣収納機構において各保持部材により保持されるべき紙幣収納袋の構成を示す斜視図である。
【図５】図２等に示す紙幣収納機構において、押し込み板により紙幣収納袋の底部を内側から押圧する前に当該紙幣収納袋に紙幣を収納させたときの状態を示す側面図である。
【図６】図２等に示す紙幣収納機構において、押し込み板により紙幣収納袋の底部を内側から押圧するときの動作を示す側面図である。
【図７】図６に示す状態から引き続く、図２等に示す紙幣収納機構において紙幣収納袋に紙幣を収納させるときの動作を示す側面図である。
【図８】図７に示す状態から引き続く、図２等に示す紙幣収納機構において紙幣収納袋に紙幣を収納させるときの動作を示す側面図である。
【図９】図８に示す状態から引き続く、図２等に示す紙幣収納機構において紙幣収納袋を取り出すときの動作を示す側面図である。
【図１０】図２等に示す紙幣収納機構において、押し込み板により紙幣収納袋の底部を内側から押圧する前のステージの動作を示す側面図である。
【図１１】図１等に示す紙幣処理機の制御系の構成を示す機能ブロック図である。
【図１２】変形例に係る紙幣収納機構の構成の詳細を示す側面図である。
【図１３】別の変形例に係る紙幣収納機構の構成を示す斜視図であって、ステージが上限位置にあるときの状態を示す図である。
【図１４】図１３に示す紙幣収納機構の構成を示す斜視図であって、ステージが下限位置にあるときの状態を示す図である。
【図１５】図１３に示す紙幣収納機構の構成を示す側面図であって、ステージが上限位置にあるときの状態を示す図である。
【図１６】図１３に示す紙幣収納機構の構成を示す側面図であって、押し込み板により紙幣収納袋の底部を内側から押圧したときの状態を示す側面図である。
【図１７】図１３に示す紙幣収納機構の構成を示す側面図であって、ステージが下限位置にあるときの状態を示す図である。
【発明を実施するための形態】
【００２６】
以下、図面を参照して本発明の実施の形態について説明する。図１乃至図１１は、本実施の形態に係る紙幣処理機および紙幣処理方法を示す図である。このうち、図１は、本実施の形態による紙幣処理機の構成の一例を示す概略構成図であり、図２は、図１に示す紙幣処理機における紙幣収納機構の構成の詳細を示す側面図である。また、図３は、図２に示す紙幣収納機構における一対の保持部材等の構成を示す斜視図であり、図４は、図２等に示す紙幣収納機構において各保持部材により保持されるべき紙幣収納袋の構成を示す斜視図である。また、図５は、図２等に示す紙幣収納機構において、押し込み板により紙幣収納袋の底部を内側から押圧する前に当該紙幣収納袋に紙幣を収納させたときの状態を示す側面図であり、図６乃至図９は、それぞれ、図２等に示す紙幣収納機構において、押し込み板により紙幣収納袋の底部を内側から押圧した後に当該紙幣収納袋に紙幣を収納させるときの動作を順に示す側面図である。また、図１０は、図２等に示す紙幣収納機構において、押し込み板により紙幣収納袋の底部を内側から押圧する前のステージの動作を示す側面図である。また、図１１は、図１等に示す紙幣処理機の制御系の構成を示す機能ブロック図である。
【００２７】
本実施の形態による紙幣処理機１０は、概してスーパーマーケット等の店舗のフロント領域やバックヤード領域、あるいは銀行ロビーや銀行の内部に配置されるものであり、当該紙幣処理機１０は、紙幣の入金処理等の様々な処理を行うことができるようになっている。図１に示すように、本実施の形態による紙幣処理機１０は略直方体形状の筐体１２を有している。なお、図１における筐体１２の左側の面が当該筐体１２の前面（すなわち、操作者が対向する面）となっている。また、筐体１２の内部には、上部ユニット１４および下部ユニット１６がそれぞれ当該筐体１２の前面から前方（具体的には、図１における左方向）に引き出し可能となるよう収容されている。上部ユニット１４において、筐体１２の前面上部（図１における左側の面の上部）には、筐体１２の外部から内部に紙幣を投入するための受入ホッパ等の投入部２０が設けられている。また、上部ユニット１４において、筐体１２の前面（図１における左側の面）における投入部２０の下方には、筐体１２の内部から外部に紙幣を投出するための投出部２２が設けられている。
【００２８】
投入部２０には、操作者により当該投入部２０に積層状態で載置された紙幣を１枚ずつ筐体１２の内部に繰り出すための紙幣繰出機構２０ａが設けられている。また、上部ユニット１４において、紙幣処理機１０の筐体１２の内部には、当該筐体１２内で紙幣を１枚ずつ搬送する搬送部２４が設けられており、紙幣繰出機構２０ａにより投入部２０から繰り出された紙幣は当該搬送部２４により１枚ずつ搬送されるようになっている。また、搬送部２４には識別部２６が設けられており、紙幣繰出機構２０ａにより搬送部２４に繰り出された紙幣は識別部２６によりその金種、真偽、表裏、正損、新旧、搬送状態等が識別されるようになっている。また、識別部２６は例えばイメージセンサを有しており、当該イメージセンサにより紙幣の画像を取得することができるようになっている。また、識別部２６は、イメージセンサにより取得された紙幣の画像に基づいて、当該紙幣の記番号や種類（紙幣のシリーズ）、紙幣が発行された年代等の情報を取得することができるようになっている。
【００２９】
図１に示すように、搬送部２４には投出部２２が接続されており、搬送部２４から投出部２２に送られた紙幣は当該投出部２２に集積されるようになっている。また、投出部２２は筐体１２の外部からアクセス可能となっており、操作者は投出部２２に集積された紙幣を筐体１２の前面から取り出すことができるようになっている。また、搬送部２４における投出部２２との接続箇所には羽根車２２ａが設けられており、当該羽根車２２ａは図１における反時計回りの方向に回転するようになっている。そして、搬送部２４から投出部２２に紙幣が送られる際に、羽根車２２ａにおける２つの羽根の間に紙幣が挟まれた状態で当該羽根車２２ａが図１における反時計回りの方向に回転することにより、羽根車２２ａの２つの羽根の間に挟まれた紙幣は投出部２２に整列された状態で集積されるようになる。
【００３０】
また、上部ユニット１４において、搬送部２４にはテープ式の収納繰出部３０が設けられており、搬送部２４から収納繰出部３０に送られた紙幣が当該収納繰出部３０に収納されるとともにこの収納繰出部３０に収納されている紙幣を１枚ずつ搬送部２４に繰り出すことができるようになっている。より詳細には、収納繰出部３０は正逆両方向に回転可能なドラム３０ａが設けられており、当該ドラム３０ａの外周面には一対の帯状のテープ３１の一端が接続されている。そして、搬送部２４から収納繰出部３０に紙幣が送られると、これらの帯状のテープ３１により当該紙幣は１枚ずつテープ３１ごとドラム３０ａに巻き取られるようになっている。一方、ドラム３０ａを逆方向に回転させることにより各テープ３１をドラム３０ａから巻き戻すとドラム３０ａに巻き取られている紙幣も各テープ３１から放出されて搬送部２４に繰り出されるようになる。
【００３１】
図１に示すように、本実施の形態では、下部ユニット１６には、一方に開口が設けられた紙幣収納袋３４の内部に紙幣を収納させるための紙幣収納機構３２が複数（例えば、２つ）設けられている。各紙幣収納機構３２には、それぞれ、一対の保持部材３６が互いに対向するよう離間して設けられており、紙幣収納袋３４の開口近傍における互いに対向する２つの箇所が各保持部材３６によりそれぞれ保持されるようになっている。ここで、ある保持部材３６（具体的には、例えば図１や図２における右側の保持部材３６）はその位置が固定されているのに対し、別の保持部材３６（具体的には、例えば図１や図２における左側の保持部材３６）は位置固定の保持部材３６に向かって移動することができるようになっている。また、図２に示すように、各保持部材３６にはそれぞれ加熱部材３８が設けられている。そして、紙幣収納機構３２において各保持部材３６により保持された紙幣収納袋３４に所定量の紙幣が収納された後、当該紙幣収納袋３４が紙幣収納機構３２から取り出される前に、一方の保持部材３６が他方の保持部材３６に向かって移動してこれらの保持部材３６が互いに接合した状態で、加熱部材３８によって紙幣収納袋３４の開口近傍の箇所に熱が与えられることにより当該紙幣収納袋３４の開口はヒートシール（熱封止）されるようになっている。なお、紙幣収納機構３２において、一対の保持部材３６のうちある１つの保持部材３６が他の保持部材３６に向かって移動する代わりに、両方の保持部材３６がそれぞれ他の保持部材３６に向かって中央位置まで移動してこれらの保持部材３６が中央位置で互いに接合するようになっていてもよい。
【００３２】
また、上部ユニット１４において、搬送部２４からは各紙幣収納機構３２に対応して複数（図１に示す例では２つ）の分岐搬送部２５が分岐しており、搬送部２４から分岐搬送部２５に分岐させられた紙幣が当該分岐搬送部２５から各紙幣収納機構３２に装着された紙幣収納袋３４に送られて当該紙幣収納袋３４に収納されるようになっている。
【００３３】
次に、本実施の形態における紙幣収納機構３２の構成の詳細について図２乃至図４を用いて説明する。図２は、紙幣収納機構３２の構成の詳細を示す側面図であり、図３は、図２に示す紙幣収納機構３２における一対の保持部材３６等の構成を示す斜視図であり、図４は、図２等に示す紙幣収納機構３２において各保持部材３６により保持される紙幣収納袋３４の構成を示す斜視図である。
【００３４】
図２に示すように、紙幣収納機構３２には、上部ユニット１４の分岐搬送部２５から下部ユニット１６に送られた紙幣を一対の保持部材３６により保持される紙幣収納袋３４に送るための紙幣送り出し部４８と、紙幣送り出し部４８から送られた紙幣が一時的に保留される一時保留部４４と、一対の保持部材３６により保持される紙幣収納袋３４の底部が載置されるステージ４０とがそれぞれ設けられている。
【００３５】
図２に示すように、紙幣送り出し部４８は、ローラやベルトを組み合わせたものからなり、上部ユニット１４の分岐搬送部２５から下部ユニット１６に送られた紙幣を１枚ずつ一時保留部４４上に送って当該一時保留部４４上に集積させるようになっている。一時保留部４４は左右一対のものからなり、各一時保留部４４の基端部分に設けられた軸４４ａを中心として各一時保留部４４は下方（すなわち、図２における矢印方向）にそれぞれ回転することができるようになっている。また、ステージ４０は左右一対のものからなり、各ステージ４０は図２における上下方向および左右方向にそれぞれ移動可能となっている。また、一対のステージ４０の間には隙間が形成されており、保持部材３６により保持される紙幣収納袋３４の一部はこの隙間を通って各ステージ４０から下方に延びるようになっている。なお、各ステージ４０は電動アクチュエータ等のステージ駆動部４１（図１１参照）により駆動されるようになっている。
【００３６】
また、図２に示すように、各ステージ４０にはそれぞれ加熱部材４２が設けられている。そして、当該紙幣収納袋３４が紙幣収納機構３２から取り出される前に、一方のステージ４０（例えば、図２における左側のステージ４０）が他方のステージ４０（例えば、図２における右側のステージ４０）に向かって移動してこれらのステージ４０が互いに接合した状態で、加熱部材４２によって紙幣収納袋３４の底部近傍の箇所に熱が与えられることにより当該紙幣収納袋３４の底部がヒートシール（熱封止）されるようになっている。なお、紙幣収納機構３２において、一対のステージ４０のうちある１つのステージ４０が他のステージ４０に向かって移動する代わりに、両方のステージ４０がそれぞれ他のステージ４０に向かって中央位置まで移動してこれらのステージ４０が中央位置で互いに接合するようになっていてもよい。
【００３７】
また、図３に示すように、左右一対の保持部材３６のうち左側の保持部材３６にはパンタグラフ３７が設けられており、当該パンタグラフ３７により左側の保持部材３６は右側の保持部材３６に向かって移動させられてこれらの保持部材３６が互いに接合させられるようになっている。より詳細には、左側の保持部材３６の端部にはガイドピン３６ｐが設けられているとともに、各保持部材３６を支持する枠体３６ｋには当該ガイドピン３６ｐが案内される直線状の長穴３６ｑが設けられている。ここで、この長穴３６ｑは枠体３６ｋにおいて水平方向に延びるよう設けられている。そして、パンタグラフ３７が伸びると、左側の保持部材３６に設けられたガイドピン３６ｐが長穴３６ｑに沿って案内されることにより、当該左側の保持部材３６は右側の保持部材３６に向かって移動させられるようになる。
【００３８】
また、図３に示すように、左右一対の保持部材３６の上面には２つのピン３６ａが設けられている。ここで、図４に示すように、各保持部材３６により保持されるべき紙幣収納袋３４の開口近傍の箇所（すなわち、紙幣収納袋３４の上端部）には、それぞれ２つの開口３４ｂが設けられた一対の突出部３４ａが設けられており、紙幣収納袋３４が各保持部材３６により保持される際に、紙幣収納袋３４の各突出部３４ａに設けられた各開口３４ｂに各保持部材３６の各ピン３６ａが通されることにより、これらの突出部３４ａが各保持部材３６により保持されるようになっている。
【００３９】
また、図２に示すように、一対の一時保留部４４の上方には押し込み板４６が設けられている。当該押し込み板４６にはパンタグラフ４７が設けられており、このパンタグラフ４７が下方に伸びることによって押し込み板４６は図２に示す状態から下方に移動することができるようになっている。このような押し込み板４６が図２に示す状態から下方に移動することによって、各一時保留部４４に一時的に保留されている紙幣が紙幣収納袋３４に収納される際に、各一時保留部４４に残留してしまった紙幣を紙幣収納袋３４に向かって押し込むことができるようになる。
【００４０】
また、図２に示すように、一対の保持部材３６のうち左側の保持部材３６の下方には片寄せレバー３９が設けられており、当該片寄せレバー３９により、一対の保持部材３６により保持される紙幣収納袋３４に収納された紙幣が当該紙幣収納袋３４内で片側（具体的には、図２における右側）に寄せられるようになっている。より詳細には、片寄せレバー３９はパンタグラフや電動アクチュエータ等からなる片寄せレバー駆動部３９ａ（図１１参照）により図２に示す状態から右側に移動させられるようになっている。このような片寄せレバー３９の技術的特徴の詳細については後述する。
【００４１】
また、紙幣収納機構３２において、一対の保持部材３６により保持される紙幣収納袋３４の開口の近傍には、当該紙幣収納袋３４の内壁部分を撮像するためのカメラ等の撮像部６０が設けられている。ここで、各保持部材３６により保持される紙幣収納袋３４の内壁部分の開口近傍には目印３４ｃが設けられており、撮像部６０によりこの目印３４ｃが撮像されるようになっている。また、撮像部６０の近傍には、各保持部材３６により保持される紙幣収納袋３４の内壁部分に光を照射する光源６２が設けられている。このような光源６２により紙幣収納袋３４の内壁部分に光が照射されることにより、撮像部６０は紙幣収納袋３４の内壁部分の開口近傍に形成される目印３４ｃを鮮明に撮像することができるようになる。
【００４２】
また、本実施の形態の紙幣処理機１０には、当該紙幣処理機１０の各構成部材の制御を行う制御部５０が設けられている。より詳細には、図１１に示すように、制御部５０には、投入部２０に設けられた紙幣繰出機構２０ａ、投出部２２に設けられた羽根車２２ａを駆動するための羽根車駆動部２２ｂ、搬送部２４、分岐搬送部２５、識別部２６、収納繰出部３０、紙幣収納機構３２（具体的には、パンタグラフ３７、加熱部材３８、片寄せレバー駆動部３９ａ、ステージ駆動部４１、加熱部材４２、一時保留部４４、パンタグラフ４７および紙幣送り出し部４８）、撮像部６０、光源６２等がそれぞれ通信可能に接続されている。そして、識別部２６による紙幣の識別結果に係る信号や撮像部６０により撮像された画像が制御部５０に送られるとともに、制御部５０は紙幣処理機１０の各構成部材に指令信号を送ることによりこれらの構成部材の動作を制御するようになっている。
【００４３】
また、図１１に示すように、制御部５０には操作表示部５２、記憶部５４、印字部５６および通信インターフェース部５８がそれぞれ通信可能に接続されている。図１に示すように、操作表示部５２は例えば筐体１２の上面に設けられたタッチパネル等からなり、紙幣処理機１０における紙幣の入金処理等の処理状況や、各紙幣収納袋３４に収納されている紙幣の在高等に関する情報が操作表示部５２に表示されるようになっている。また、操作者は操作表示部５２を操作することにより制御部５０に対して様々な指令を与えることができるようになっている。例えば、操作者は操作表示部５２により複数の紙幣収納袋３４への紙幣の分類パターンを選択することができるようになっている。ここで、操作者は操作表示部５２により複数の紙幣収納袋３４への紙幣の分類パターンを任意で設定することができるようになっていてもよく、あるいは予め設定された紙幣の分類パターンから操作表示部５２により選択することができるようになっていてもよい。
【００４４】
記憶部５４には、紙幣処理機１０における紙幣の入金処理等の処理履歴や、各紙幣収納袋３４に収納されている紙幣の在高等に関する情報が記憶されるようになっている。また、記憶部５４には、識別部２６により識別された紙幣の識別情報を記憶することができるようになっている。具体的には、各紙幣収納袋３４の識別情報（ＩＤ）と、各紙幣収納袋３４に収納された紙幣の識別情報とが関連付けられて記憶部５４に記憶されるようになっている。また、印字部５６は、紙幣処理機１０における紙幣の入金処理等の処理履歴や、各紙幣収納袋３４に収納されている紙幣の在高等に関する情報をレシート等に印字するようになっている。また、制御部５０は通信インターフェース部５８を介して本実施の形態による紙幣処理機１０とは別に設けられた外部装置（具体的には、例えば上位端末）に対して信号の送受信を行うことができるようになっている。具体的には、制御部５０は通信インターフェース部５８を介して記憶部５４に記憶されている情報を紙幣処理機１０とは別に設けられた外部装置に送信することができるようになっている。例えば、警送会社の警備員等が紙幣収納袋３４ごと紙幣を回収する際に、回収された紙幣に関する情報が通信インターフェース部５８により警送会社のコンピュータ等に送信されるようになっている。
【００４５】
なお、上記の制御部５０は、紙幣処理機１０の各構成部材の制御を行うよう、当該紙幣処理機１０の筐体１２内に設けられているが、紙幣収納機構３２を単体で用いる場合には、当該紙幣収納機構３２の各構成部材の制御を行う制御部がこの紙幣収納機構３２に設置されるようになっていてもよい。
【００４６】
次に、このような構成からなる紙幣処理機１０の動作について説明する。なお、以下に示すような紙幣処理機１０の動作は、制御部５０が紙幣処理機１０の各構成部材を制御することにより行われるようになっている。
【００４７】
まず、紙幣処理機１０において紙幣の入金処理を行う際の動作について説明する。操作者が投入部２０に紙幣を投入した後、操作表示部５２により入金処理開始の指令を制御部５０に与えると、投入部２０に投入された紙幣は紙幣繰出機構２０ａにより１枚ずつ筐体１２内に繰り出され、搬送部２４により１枚ずつ搬送されるようになる。そして、搬送部２４により搬送される紙幣は識別部２６によりその金種、真偽、表裏、正損、新旧、搬送状態等が識別される。また、識別部２６のイメージセンサにより紙幣が撮像され、この紙幣の画像に基づいて当該紙幣の記番号や種類（紙幣のシリーズ）、紙幣が発行された年代等の情報が取得される。識別部２６により正常な紙幣ではないと識別された紙幣、すなわちリジェクト紙幣は搬送部２４により投出部２２に送られ、当該投出部２２に集積される。このことにより、操作者は投出部２２に集積されたリジェクト紙幣を筐体１２の前面から手動で取り出し、投入部２０に再投入等することができるようになる。
【００４８】
一方、識別部２６により正常な紙幣であると識別された紙幣は搬送部２４から分岐搬送部２５に分岐させられ、当該分岐搬送部２５から紙幣収納袋３４に送られ、この紙幣収納袋３４に収納されるようになる。ここで、本実施の形態による紙幣処理機１０では、制御部５０は、上部ユニット１４の搬送部２４から下部ユニット１６に送られる紙幣を、予め設定された所定の分類条件に基づいて各紙幣収納袋３４に振り分けるよう搬送部２４の制御を行うようになっている。
【００４９】
また、識別部２６により識別された紙幣が送られるべき紙幣収納袋３４がフル状態またはニアフル状態となっており、紙幣収納袋３４に紙幣を収納させることができない場合には、識別部２６により識別された紙幣は収納繰出部３０に送られ、当該収納繰出部３０に収納されるようになっている。そして、フル状態またはニアフル状態となっている紙幣収納袋３４が警送会社の警備員等や店舗の店員等によって下部ユニット１６の紙幣収納機構３２から取り出され、空の紙幣収納袋３４が紙幣収納機構３２に装着されると、収納繰出部３０から紙幣が１枚ずつ搬送部２４に繰り出されて当該搬送部２４により紙幣収納袋３４に送られるようになる。
【００５０】
なお、上部ユニット１４の搬送部２４から下部ユニット１６に送られる紙幣を各紙幣収納袋３４に振り分ける際の所定の分類条件としては様々な条件が挙げられるが、このような所定の分類条件の一例として、紙幣処理機１０が設置される店舗で例えば翌日の釣銭準備金として用いられるべき紙幣と、警送会社の警備員等により回収されるべき紙幣とに分類分けするような条件が用いられてもよい。この場合には、識別部２６により紙幣が識別されたときに、紙幣処理機１０が設置される店舗で例えば翌日の釣銭準備金として用いられるべき紙幣であると制御部５０において判断された紙幣は搬送部２４により図１における左側の紙幣収納袋３４に送られ、一方、識別部２６により紙幣が識別されたときに、警送会社の警備員等により回収されるべき紙幣であると制御部５０において判断された紙幣は搬送部２４により図１における右側の紙幣収納袋３４に送られるようになる。
【００５１】
次に、紙幣収納機構３２において、上部ユニット１４の分岐搬送部２５から下部ユニット１６に送られた紙幣を一対の保持部材３６により保持されている紙幣収納袋３４に収納させる際の動作について図５乃至図１０を用いて説明する。なお、図５乃至図９において、紙幣収納袋３４に収納される紙幣を参照符号Ｐで示している。
【００５２】
本実施の形態の紙幣処理機１０では、下部ユニット１６において紙幣収納袋３４の交換を行う際に、紙幣収納機構３２において空の紙幣収納袋３４が一対の保持部材３６により保持されると、制御部５０は、各保持部材３６により保持される紙幣収納袋３４の内部に押し込み板４６を進入させて各ステージ４０に向かってこの紙幣収納袋３４の底部を押圧させるようパンタグラフ４７を制御するようになっている。このような動作の詳細について以下に述べる。
【００５３】
図５は、図２等に示す紙幣収納機構３２において、押し込み板４６により紙幣収納袋３４の底部を内側から押圧する前に当該紙幣収納袋３４に紙幣を収納させたときの状態を示す側面図である。図５に示すように、紙幣収納機構３２において空の紙幣収納袋３４が一対の保持部材３６により保持された後、もし仮に、押し込み板４６により紙幣収納袋３４の底部を内側から押圧する前に当該紙幣収納袋３４に紙幣を収納させてしまうと、各ステージ４０よりも上方に位置する紙幣収納袋３４の底部が平らに形作られていないため、紙幣収納袋３４に紙幣を収納する際に、図５の参照符号Ｐに示すように当該紙幣収納袋３４の底部に集積された紙幣が水平方向に対して傾いてしまい、紙幣収納袋３４内の紙幣の集積状態が安定しなくなってしまう。
【００５４】
これに対し、本実施の形態では、紙幣収納機構３２において空の紙幣収納袋３４が一対の保持部材３６により保持された後、図６に示すように、各保持部材３６により保持される紙幣収納袋３４（すなわち、空の紙幣収納袋３４）の内部に押し込み板４６を進入させて各ステージ４０に向かってこの紙幣収納袋３４の底部を押圧させることにより、紙幣収納袋３４における各ステージ４０に載置される部分（すなわち、紙幣収納袋３４の底部）を、紙幣を集積可能な状態とする。ここで、紙幣を集積可能な状態とは、紙幣収納袋３４の底部が平らとなっている状態やほぼ平らとなっている状態のことをいう。このことにより、前もって紙幣収納袋３４の底部に紙幣を集積可能とするような形状のクセ（具体的には、平らなクセ）を形成することができる。このため、図７に示すように、紙幣収納袋３４に紙幣を収納する際に当該紙幣収納袋３４の底部に集積される紙幣が水平方向に対して傾いてしまうことを防止することができるため紙幣収納袋３４内の紙幣の集積状態を安定させることができる。ここで、押し込み板４６が各保持部材３６により保持される紙幣収納袋３４の内部に進入して各ステージ４０に向かってこの紙幣収納袋３４の底部を内側から押圧する際に、当該紙幣収納袋３４の底部が押し込み板４６と各ステージ４０との間で挟圧されるようになっている。なお、本実施の形態はこのような態様に限定されることはなく、別の態様として、押し込み板４６が各保持部材３６により保持される紙幣収納袋３４の内部に進入して各ステージ４０に向かってこの紙幣収納袋３４の底部を内側から押圧する際に、押し込み板４６と各ステージ４０との間にわずかな隙間が形成され、紙幣収納袋３４の底部がこのわずかな隙間に挟まれることにより当該紙幣収納袋３４の底部に平らなクセが形成されるようになっていてもよい。
【００５５】
次に、紙幣収納機構３２において、上部ユニット１４の分岐搬送部２５から下部ユニット１６に送られた紙幣を一対の保持部材３６により保持されている紙幣収納袋３４に収納させる際の動作について簡単に述べる。上部ユニット１４の分岐搬送部２５から下部ユニット１６に送られた紙幣は紙幣送り出し部４８により左右一対の一時保留部４４上に送られ、これらの一時保留部４４上に集積される。そして、所定の枚数の紙幣が各一時保留部４４上に集積されると、各一時保留部４４はその基端部分に設けられた軸４４ａを中心としてそれぞれ下方（すなわち、図２における矢印方向）に回転し、各一時保留部４４上に集積されている紙幣は自重によりこれらの一時保留部４４から落下して紙幣収納袋３４に収納されるようになる。この際に、上述したように、前もって紙幣収納袋３４の底部に平らなクセが形成されているため、各一時保留部４４から紙幣を落下させて紙幣収納袋３４に収納させる際に当該紙幣収納袋３４の底部に集積される紙幣が水平方向に対して傾いてしまうことを防止することができる。また、各一時保留部４４から紙幣が落下して紙幣収納袋３４に収納されると、各ステージ４０がステージ駆動部４１により下方に移動させられ、次に各一時保留部４４から紙幣収納袋３４に送られる紙幣の収納空間が当該紙幣収納袋３４の内部に形成されるようになる。また、本実施の形態では、制御部５０は、各保持部材３６により保持される紙幣収納袋３４の内部に紙幣を送って当該紙幣収納袋３４に紙幣を収納させる際に、一時保留部４４に保留される紙幣を押し込み板４６により紙幣収納袋３４の内部に押し込むようパンタグラフ４７を制御するようになっている。このことにより、各一時保留部４４に紙幣が残留した場合でも、このような残留している紙幣を各一時保留部４４から落下させて紙幣収納袋３４に収納させることができるようになる。
【００５６】
また、本実施の形態では、制御部５０は、各保持部材３６により保持される紙幣収納袋３４の内部に紙幣が収納され、各ステージ４０が下方に移動させられた後に、当該紙幣収納袋３４の内部に押し込み板４６を進入させてこの紙幣収納袋３４内に集積されている紙幣を介して当該紙幣収納袋３４の底部を各ステージ４０に向かって押圧させるようパンタグラフ４７を制御するようになっていてもよい。この場合には、紙幣収納袋３４に紙幣を収納させる動作の最中でも、紙幣収納袋３４における各ステージ４０に載置される部分（すなわち、紙幣収納袋３４の底部）を、紙幣を集積可能な状態（具体的には、平らな状態またはほぼ平らな状態）とすることにより、紙幣収納袋３４の底部に紙幣を集積可能とするような形状のクセ（具体的には、平らなクセ）を改めて形成することができる。このため、紙幣収納袋３４の集積される紙幣が水平方向に対して傾いてしまうことをより一層確実に防止することができるため紙幣収納袋３４内の紙幣の集積状態をより一層安定させることができるようになる。
【００５７】
各保持部材３６により保持される紙幣収納袋３４に紙幣が収納される際に、撮像部６０により紙幣収納袋３４の内壁部分に設けられた目印３４ｃが常に撮像されるようになっている。そして、紙幣収納袋３４に所定量の紙幣が収納され、撮像部６０により撮影される画像において紙幣収納袋３４に収納された紙幣によって目印３４ｃが遮られてこの目印３４ｃが撮像部６０により撮像されなくなると、制御部５０は当該紙幣収納袋３４がフル状態またはニアフル状態になったと判断する。このように、撮像部６０により撮影される画像に基づいて紙幣収納袋３４に収納された紙幣の上端位置を検知することができるため、後述するように左側の保持部材３６が右側の保持部材３６に向かって移動して加熱部材３８により紙幣収納袋３４の開口をヒートシール（熱封止）する際に、紙幣収納袋３４に収納されている紙幣が各保持部材３６により挟まれてしまい当該紙幣収納袋３４の開口において未シール箇所が発生してしまうことを防止することができる。
【００５８】
本実施の形態による紙幣処理機１０では、紙幣収納袋３４がフル状態またはニアフル状態になったと判断されると、当該紙幣収納袋３４は紙幣収納機構３２から取り出されるようになるが、紙幣収納機構３２から紙幣収納袋３４が取り出される前に、図８に示すように片寄せレバー駆動部３９ａによって片寄せレバー３９が図８における右方向に移動させられ、紙幣収納袋３４に収納されている紙幣は当該片寄せレバー３９により紙幣収納袋３４の外側から片側（具体的には、図８における右側）に寄せられるようになる。その後、片寄せレバー３９が図２に示すような位置に戻ると、紙幣収納袋３４の左側の内壁部分と、当該紙幣収納袋３４内で片側に寄せられた紙幣との間に隙間が形成されるようになる。このことにより、後述するように左側の保持部材３６が右側の保持部材３６に向かって移動する際に、紙幣収納袋３４内の複数の紙幣のうち最上層の紙幣の左端部分が紙幣収納袋３４の左側の内壁部分によって上方にめくれ上がってしまうことを防止することができるようになる。
【００５９】
片寄せレバー３９により、一対の保持部材３６により保持される紙幣収納袋３４に収納された紙幣が当該紙幣収納袋３４内で片側（具体的には、図８における右側）に寄せられた後、図２における左側のステージ４０が右側のステージ４０に向かって移動してこれらのステージ４０が互いに接合した状態で、加熱部材４２によって紙幣収納袋３４の底部近傍の箇所に熱が与えられることにより当該紙幣収納袋３４の底部がヒートシール（熱封止）される。その後、図９に示すように、図２における左側の保持部材３６が右側の保持部材３６に向かって移動してこれらの保持部材３６が互いに接合した状態で、加熱部材３８によって紙幣収納袋３４の開口近傍の箇所に熱が与えられることにより当該紙幣収納袋３４の開口がヒートシール（熱封止）される。このことにより、操作者は開口および底部がそれぞれ封止された紙幣収納袋３４を紙幣収納機構３２から取り出すことができるようになる。
【００６０】
また、本実施の形態による紙幣処理機１０では、紙幣収納機構３２において空の紙幣収納袋３４を一対の保持部材３６により保持させた後、当該紙幣収納袋３４（すなわち、空の紙幣収納袋３４）の内部に押し込み板４６を進入させて各ステージ４０に向かってこの紙幣収納袋３４の底部を押圧させる前に、各ステージ４０が図１０の矢印に示すように移動するようになっていてもよい。
【００６１】
より詳細には、紙幣収納機構３２において紙幣収納袋３４が各保持部材３６により保持されていないときには、一対のステージ４０はそれぞれ図１０における参照符号Ａに示すような待機位置に位置している。そして、一対の保持部材３６により紙幣収納袋３４が保持されると、各ステージ４０はまずステージ駆動部４１により上昇させられ、図１０における参照符号Ｂに示す箇所に移動する。そして、紙幣収納袋３４の一部が各ステージ４０により挟まれた状態で、ステージ駆動部４１により各ステージ４０は互いに接近する方向に移動させられる。このことにより、各ステージ４０は図１０における参照符号Ｃに示す箇所に到達するようになり、紙幣収納袋３４の一部を各ステージ４０により絞ることができるようになる。そして、各ステージ４０が図１０における参照符号Ｃに示す箇所に位置しているときに、パンタグラフ４７によって押し込み板４６が下降させられることにより紙幣収納袋３４の内部に押し込み板４６が進入し、当該押し込み板４６が各ステージ４０に向かってこの紙幣収納袋３４の底部を押圧させる。このことにより、紙幣収納袋３４における各ステージ４０に載置される部分（すなわち、紙幣収納袋３４の底部）が紙幣を集積可能な状態（具体的には、平らな状態またはほぼ平らな状態）となる。その後、押し込み板４６は上方に移動して紙幣収納袋３４の外部に退避する。押し込み板４６が紙幣収納袋３４の外部に退避した後、各ステージ４０はステージ駆動部４１により更に上昇させられ、図１０における参照符号Ｄに示す箇所に移動する。なお、このときの各ステージ４０の上昇量は例えば約１０ｍｍとなっている。このように、押し込み板４６によって紙幣収納袋３４の底部を押圧させた後、ステージ４０を更に上昇させることにより、紙幣収納袋３４の底部をより確実に紙幣を集積可能な状態（具体的には、平らな状態またはほぼ平らな状態）とすることができるようになり、紙幣収納袋３４の底部に紙幣を集積可能とするような形状のクセ（具体的には、平らなクセ）をより一層確実に形成することができる。
【００６２】
なお、本実施の形態による紙幣処理機１０では、図１０に示すように各ステージ４０を移動させる代わりに、各ステージ４０が押し込み板４６の下限位置まで上昇した後、パンタグラフ４７によって押し込み板４６が下降させられることによって紙幣収納袋３４の内部に押し込み板４６が進入し、当該押し込み板４６が各ステージ４０に向かってこの紙幣収納袋３４の底部を押圧させるようになっていてもよい。この場合は、押し込み板４６が上方に移動して紙幣収納袋３４の外部に退避した後も、各ステージ４０が更に上昇することはない。
【００６３】
以上のような構成からなる本実施の形態の紙幣処理機１０やこの紙幣処理機１０に設けられた紙幣収納機構３２によれば、制御部５０は、各保持部材３６により保持される紙幣収納袋３４の内部に紙幣を送る前に、当該紙幣収納袋３４の内部に押し込み板４６を進入させて各ステージ４０に向かってこの紙幣収納袋３４の底部を押圧させるようパンタグラフ４７を制御するようになっている。このように、当該紙幣収納袋３４の内部に押し込み板４６を進入させ、この押し込み板４６によって紙幣収納袋３４の底部を各ステージ４０に向かって押圧させることにより当該紙幣収納袋３４における各ステージ４０に載置される部分を紙幣を集積可能な状態（具体的には、平らな状態またはほぼ平らな状態）とすることができ、よって前もって紙幣収納袋３４の底部に紙幣を集積可能とするような形状のクセ（具体的には、平らなクセ）を形成することができる。このことにより、紙幣収納袋３４に紙幣を収納する際に当該紙幣収納袋３４の底部に集積される紙幣が水平方向に対して傾いてしまうことを防止することができるため紙幣収納袋３４内の紙幣の集積状態を安定させることができる。
【００６４】
また、本実施の形態の紙幣処理機１０やこの紙幣処理機１０に設けられた紙幣収納機構３２においては、上述したように、各保持部材３６により保持される紙幣収納袋３４に収納される前の紙幣を一時的に保留する一対の一時保留部４４が設けられており、各一時保留部４４は、紙幣送り出し部４８から送られた紙幣を一時的に保留するようになっている。また、制御部５０は、各保持部材３６により保持される紙幣収納袋３４の内部に紙幣を送る際に、各一時保留部４４に保留される紙幣を押し込み板４６により紙幣収納袋３４の内部に押し込むようパンタグラフ４７を制御するようになっている。この場合には、各一時保留部４４に保留される紙幣を紙幣収納袋３４の内部に押し込む機能、および前もって紙幣収納袋３４の底部に紙幣を集積可能とするような形状のクセを形成する機能を１つの押し込み板４６で兼用させることができる。
【００６５】
また、本実施の形態の紙幣処理機１０やこの紙幣処理機１０に設けられた紙幣収納機構３２においては、上述したように、制御部５０は、各保持部材３６により保持される紙幣収納袋３４の内部に紙幣が送られた後に、当該紙幣収納袋３４の内部に押し込み板４６を進入させてこの紙幣収納袋３４の内部に集積されている紙幣を介して当該紙幣収納袋３４の底部を各ステージ４０に向かって押圧させるようパンタグラフ４７を制御するようになっている。この場合には、紙幣収納袋３４に紙幣を収納させる動作の最中でも、紙幣収納袋３４における各ステージ４０に載置される部分（すなわち、紙幣収納袋３４の底部）を紙幣を集積可能な状態（具体的には、平らな状態またはほぼ平らな状態）とすることにより、紙幣収納袋３４の底部に紙幣を集積可能とするような形状のクセ（具体的には、平らなクセ）を改めて形成することができる。
【００６６】
また、本実施の形態の紙幣処理機１０やこの紙幣処理機１０に設けられた紙幣収納機構３２においては、上述したように、制御部５０は、保持部材３６により保持される紙幣収納袋３４の内部に押し込み板４６を進入させて各ステージ４０に向かってこの紙幣収納袋３４の一部を押圧させた後、各ステージ４０を上昇させるよう（すなわち、図１０における参照符号Ｃに示す箇所から参照符号Ｄに示す箇所に各ステージ４０を移動させるよう）ステージ駆動部４１を制御するようになっている。この場合には、押し込み板４６によって紙幣収納袋３４の底部を押圧させた後、ステージ４０を更に上昇させることにより、紙幣収納袋３４の底部をより確実に紙幣を集積可能な状態（具体的には、平らな状態またはほぼ平らな状態）とすることができるようになり、紙幣収納袋３４の底部に紙幣を集積可能とするような形状のクセ（具体的には、平らなクセ）をより一層確実に形成することができる。
【００６７】
また、本実施の形態の紙幣処理機１０やこの紙幣処理機１０に設けられた紙幣収納機構３２においては、上述したように、押し込み板４６が各保持部材３６により保持される紙幣収納袋３４の内部に進入して各ステージ４０に向かってこの紙幣収納袋３４の底部を内側から押圧する際に、当該紙幣収納袋３４が底部を押し込み板４６と各ステージ４０との間で挟圧されるようになっている。あるいは、押し込み板４６が各保持部材３６により保持される紙幣収納袋３４の内部に進入して各ステージ４０に向かってこの紙幣収納袋３４の底部を内側から押圧する際に、押し込み板４６と各ステージ４０との間にわずかな隙間が形成されるようになっていてもよい。
【００６８】
また、本実施の形態の紙幣処理機１０やこの紙幣処理機１０に設けられた紙幣収納機構３２においては、上述したように、各保持部材３６は、当該保持部材３６により保持される紙幣収納袋３４の開口近傍の箇所を熱により接着させて封止する加熱部材３８（第１加熱部材）を有している。この場合には、一方の保持部材３６が他方の保持部材３６に向かって移動してこれらの保持部材３６が互いに接合した状態で、加熱部材３８によって紙幣収納袋３４の開口近傍の箇所に熱を与えることにより当該紙幣収納袋３４の開口をヒートシール（熱封止）することができるようになる。なお、本実施の形態では、両方の保持部材３６に加熱部材３８をそれぞれ設ける必要はなく、片方の保持部材３６のみに加熱部材３８が設けられるようになっていてもよい。
【００６９】
また、本実施の形態の紙幣処理機１０やこの紙幣処理機１０に設けられた紙幣収納機構３２においては、上述したように、複数（具体的には、２つ）のステージ４０が設けられており、各ステージ４０は他のステージ４０に接近する方向および離間する方向にそれぞれ移動可能となっている。そして、互いに離間した各ステージ４０の間の隙間に各保持部材３６により保持される紙幣収納袋３４の一部が位置する状態で、当該紙幣収納袋３４の内部に押し込み板４６が進入して当該押し込み板４６により紙幣収納袋３４を内側から各ステージ４０に押圧することにより、紙幣収納袋３４における各ステージ４０に載置される部分を紙幣を集積可能な状態とするようになっている。ここで、一対のステージ４０の間に隙間を設けることにより、押し込み板４６が紙幣収納袋３４の内部に進入して当該紙幣収納袋３４を内側から押圧する際に紙幣収納袋３４が移動しやすくなり、よって紙幣収納袋３４を紙幣を集積可能な状態に形成しやすくなる。また、制御部５０は、各保持部材３６により保持される紙幣収納袋３４の内部に押し込み板４６を進入させる前に、互いに離間した各ステージ４０の間に紙幣収納袋３４の一部が位置する状態でこれらのステージ４０を互いに接近させる方向に移動させ、各ステージ４０により紙幣収納袋３４の一部を挟むようになっている。このことにより、紙幣収納袋３４の一部を各ステージ４０により絞ることができるようになる。
【００７０】
また、本実施の形態の紙幣処理機１０やこの紙幣処理機１０に設けられた紙幣収納機構３２においては、上述したように、各ステージ４０は、各保持部材３６により保持される紙幣収納袋３４における各ステージ４０の近傍の箇所（すなわち、紙幣収納袋３４の底部）を熱により接着させて封止する加熱部材４２（第２加熱部材）を有している。この場合には、一方のステージ４０が他方のステージ４０に向かって移動してこれらのステージ４０が互いに接合した状態で、加熱部材４２によって紙幣収納袋３４の底部に熱を与えることにより当該紙幣収納袋３４の底部をヒートシール（熱封止）することができるようになる。なお、本実施の形態では、両方のステージ４０に加熱部材４２をそれぞれ設ける必要はなく、片方のステージ４０のみに加熱部材４２が設けられるようになっていてもよい。
【００７１】
なお、本実施の形態による紙幣処理機１０や紙幣処理方法は、上述したような態様に限定されることはなく、様々な変更を加えることができる。
【００７２】
例えば、図１乃至図１１に示す紙幣処理機１０の紙幣収納機構３２のように１つの押し込み板４６が用いられる代わりに、図１２に示す紙幣収納機構３２ａのように、互いに離間している左右一対の押し込み部分４６ｂ、４６ｃから構成される押し込み板４６ａが用いられるようになっていてもよい。図１２に示す紙幣収納機構３２ａでは、左右一対の押し込み部分４６ｂ、４６ｃから構成される押し込み板４６ａが各保持部材３６により保持される紙幣収納袋３４の内部に進入した後、当該紙幣収納袋３４の外側に広がるようそれぞれ移動するようになっている（図１２における矢印参照）。このような紙幣収納機構３２ａによれば、各保持部材３６により保持される紙幣収納袋３４における各ステージ４０に載置される部分（すなわち、紙幣収納袋３４の底部）をより一層紙幣を集積可能な状態（具体的には、平らな状態またはほぼ平らな状態）とすることができるようになる。
【００７３】
また、更に他の紙幣収納機構として、図１３乃至図１７に示すような構成のものが用いられてもよい。ここで、図１３は、別の変形例に係る紙幣収納機構１３２の構成を示す斜視図であって、ステージ１４０が上限位置にあるときの状態を示す図であり、図１４は、図１３に示す紙幣収納機構１３２の構成を示す斜視図であって、ステージ１４０が下限位置にあるときの状態を示す図である。また、図１５は、図１３に示す紙幣収納機構１３２の構成を示す側面図であって、ステージ１４０が上限位置にあるときの状態を示す図であり、図１６は、図１３に示す紙幣収納機構１３２の構成を示す側面図であって、押し込み板１４６により紙幣収納袋１３４の底部を内側から押圧したときの状態を示す側面図であり、図１７は、図１３に示す紙幣収納機構１３２の構成を示す側面図であって、ステージ１４０が下限位置にあるときの状態を示す図である。なお、図１３乃至図１７において、紙幣収納袋１３４に収納される紙幣を参照符号Ｐで示している。
【００７４】
図１３乃至図１７に示すように、別の変形例に係る紙幣収納機構１３２にはそれぞれ一対の保持部材１３６が互いに対向するよう離間して設けられており、紙幣収納袋１３４の開口近傍における互いに対向する２つの箇所が各保持部材１３６によりそれぞれ保持されるようになっている。ここで、ある保持部材１３６（具体的には、例えば図１３乃至図１７における右側の保持部材１３６）はその位置が固定されているのに対し、別の保持部材１３６（具体的には、例えば図１３乃至図１７における左側の保持部材１３６）は位置固定の保持部材１３６に向かって移動することができるようになっている。また、各保持部材１３６にはそれぞれ加熱部材（図示せず）が設けられている。そして、紙幣収納機構１３２に設けられた紙幣収納袋１３４に所定量の紙幣が収納された後、当該紙幣収納袋１３４が紙幣収納機構１３２から取り出される前に、一方の保持部材１３６が他方の保持部材１３６に向かって移動してこれらの保持部材１３６が互いに接合した状態で、加熱部材によって紙幣収納袋１３４の開口近傍の箇所に熱が与えられることにより当該紙幣収納袋１３４の開口はヒートシール（熱封止）されるようになっている。
【００７５】
別の変形例に係る紙幣収納機構１３２において、各保持部材１３６の上方には一時保留部（図示せず）が設けられており、各保持部材１３６により保持される紙幣収納袋１３４に紙幣が収納される前に一時保留部に紙幣が一時的に保留されるようになっている。また、一時保留部の上方には押し込み板１４６が設けられている。当該押し込み板１４６にはパンタグラフ（図示せず）が設けられており、このパンタグラフが下方に伸びることによって押し込み板１４６は一時保留部の上方の位置から下方に移動することができるようになっている。このような押し込み板１４６が下方に移動することによって、一時保留部に一時的に保留されている紙幣が紙幣収納袋１３４に収納される際に、一時保留部に残留してしまった紙幣を紙幣収納袋１３４に向かって押し込むことができるようになる。
【００７６】
図１３および図１４に示すように、左右一対の保持部材１３６の上面には２つのピン１３６ａが設けられている。また、各保持部材１３６により保持されるべき紙幣収納袋１３４の開口近傍の箇所（すなわち、紙幣収納袋１３４の上端部）には複数（図１３等に示す例では４つ）の開口１３４ａが設けられており、紙幣収納袋１３４の各開口１３４ａに各保持部材１３６のピン１３６ａが通されることにより、紙幣収納袋１３４が各保持部材１３６により保持されるようになっている。
【００７７】
また、紙幣収納機構１３２には、一対の保持部材１３６により保持される紙幣収納袋１３４の底部が載置されるステージ１４０が設けられている。ここで、ステージ１４０には開口１４０ａが設けられており、各保持部材１３６により保持される紙幣収納袋１３４の一部がこの開口１４０ａを貫通して当該ステージ１４０から下方に延びるようになっている。また、ステージ１４０は図１３等における上下方向に移動可能となっている。より詳細には、ステージ１４０の近傍には鉛直方向に延びるガイド部材１４１が設けられており、ステージ１４０は当該ガイド部材１４１に沿って上下方向に移動するようになっている。具体的に説明すると、ステージ１４０には図示しないガイドピンが設けられているとともに、ガイド部材１４１には当該ガイドピンが案内される直線状の長穴１４１ａが設けられている。ここで、この長穴１４１ａは鉛直方向に延びるよう設けられている。そして、ステージ１４０に設けられたガイドピンが長穴１４１ａに沿って案内されることにより、当該ステージ１４０はガイド部材１４１に沿って上下方向に移動させられるようになる。ここで、図１３乃至図１７に示す紙幣収納機構１３２では、ステージ１４０は図１３における参照符号Ｌ１で示すような上限位置と参照符号Ｌ２で示すような下限位置との間で移動可能となっている。
【００７８】
また、図１３乃至図１７に示す紙幣収納機構１３２でも、図１乃至図１１に示す紙幣収納機構３２と同様に、紙幣収納袋１３４の交換を行う際に、紙幣収納機構１３２において空の紙幣収納袋１３４を一対の保持部材１３６により保持させた後、各保持部材１３６により保持される紙幣収納袋１３４の内部に押し込み板１４６（図１６参照）を進入させてステージ１４０に向かってこの紙幣収納袋１３４の底部を押圧させるようになっている。このような動作の詳細について以下に述べる。
【００７９】
図１５は、図１３等に示す紙幣収納機構１３２において、空の紙幣収納袋１３４を一対の保持部材１３６により保持させた後、押し込み板１４６により紙幣収納袋１３４の底部を内側から押圧する前の状態を示す側面図である。紙幣収納機構１３２において空の紙幣収納袋１３４が一対の保持部材１３６により保持された後、もし仮に、押し込み板１４６により紙幣収納袋１３４の底部を内側から押圧する前に当該紙幣収納袋１３４に紙幣を収納させてしまうと、図１５に示すようにステージ１４０よりも上方に位置する紙幣収納袋１３４の底部が平らに形作られていないため、紙幣収納袋１３４に紙幣を収納する際に、当該紙幣収納袋１３４の底部に集積された紙幣が水平方向に対して傾いてしまい、紙幣収納袋１３４内の紙幣の集積状態が安定しなくなってしまうおそれがある。
【００８０】
これに対し、図１３乃至図１７に示す紙幣収納機構１３２では、紙幣収納機構１３２において空の紙幣収納袋１３４が一対の保持部材１３６により保持された後、図１６に示すように、各保持部材１３６により保持される紙幣収納袋１３４（すなわち、空の紙幣収納袋１３４）の内部に押し込み板１４６を進入させてステージ１４０に向かってこの紙幣収納袋１３４の底部を押圧させることにより、紙幣収納袋１３４におけるステージ１４０に載置される部分（すなわち、紙幣収納袋１３４の底部）を紙幣を集積可能な状態（具体的には、平らな状態またはほぼ平らな状態）とする。このことにより、前もって紙幣収納袋１３４の底部に紙幣を集積可能とするような形状のクセ（具体的には、平らなクセ）を形成することができる。このため、図１７に示すように、紙幣収納袋１３４に紙幣を収納する際に当該紙幣収納袋１３４の底部に集積される紙幣が水平方向に対して傾いてしまうことを防止することができるため紙幣収納袋１３４内の紙幣の集積状態を安定させることができる。ここで、押し込み板１４６が各保持部材１３６により保持される紙幣収納袋１３４の内部に進入してステージ１４０に向かってこの紙幣収納袋１３４の底部を内側から押圧する際に、当該紙幣収納袋１３４の底部が押し込み板１４６とステージ１４０との間で挟圧されるようになっている。なお、別の態様として、押し込み板１４６が各保持部材１３６により保持される紙幣収納袋１３４の内部に進入してステージ１４０に向かってこの紙幣収納袋１３４の底部を内側から押圧する際に、押し込み板１４６とステージ１４０との間にわずかな隙間が形成され、紙幣収納袋１３４の底部がこのわずかな隙間に挟まれることにより当該紙幣収納袋１３４の底部に紙幣を集積可能とするような形状のクセ（具体的には、平らなクセ）が形成されるようになっていてもよい。
【００８１】
次に、紙幣収納機構１３２において、一対の保持部材１３６により保持されている紙幣収納袋１３４に紙幣を収納させる際の動作について簡単に述べる。図１３や図１４の二点鎖線で示すように、紙幣収納機構１３２に送られた紙幣は、各保持部材１３６により保持される紙幣収納袋１３４に対して上方から当該紙幣の自重により送られ、当該紙幣収納袋１３４に収納されるようになる。この際に、上述したように、前もって紙幣収納袋１３４の底部に紙幣を集積可能とするような形状のクセ（具体的には、平らなクセ）が形成されているため、紙幣を落下させて紙幣収納袋１３４に収納させる際に当該紙幣収納袋１３４の底部に集積される紙幣が水平方向に対して傾いてしまうことを防止することができる。また、紙幣が紙幣収納袋１３４に収納される度に、ステージ１４０が下方に移動させられ、次に紙幣収納袋１３４に送られる紙幣の収納空間が当該紙幣収納袋１３４の内部に形成されるようになる。
【００８２】
その後、ステージ１４０が図１４や図１７に示すような下限位置まで移動し、紙幣収納袋３４がフル状態またはニアフル状態になったと判断されると、当該紙幣収納袋１３４は紙幣収納機構１３２から取り出されるようになる。より詳細には、紙幣収納袋３４がフル状態またはニアフル状態になったと判断されると、図１３等における左側の保持部材１３６が右側の保持部材１３６に向かって移動し、これらの保持部材１３６が互いに接合した状態で、加熱部材によって紙幣収納袋１３４の開口近傍の箇所に熱が与えられることにより当該紙幣収納袋１３４の開口がヒートシール（熱封止）される。このことにより、操作者は開口が封止された紙幣収納袋１３４を紙幣収納機構１３２から取り出すことができるようになる。
【００８３】
図１３乃至図１７に示すような紙幣収納機構１３２でも、図１乃至図１１に示すような紙幣収納機構３２と同様に、各保持部材１３６により保持される紙幣収納袋１３４の内部に紙幣を送る前に、当該紙幣収納袋１３４の内部に押し込み板１４６を進入させてステージ１４０に向かってこの紙幣収納袋１３４の底部を押圧させるようになっている。このことにより、紙幣収納袋１３４におけるステージ１４０に載置される部分を紙幣を集積可能な状態（具体的には、平らな状態またはほぼ平らな状態）とすることができ、よって前もって紙幣収納袋１３４の底部に紙幣を集積可能とするような形状のクセ（具体的には、平らなクセ）を形成することができる。このため、紙幣収納袋１３４に紙幣を収納する際に当該紙幣収納袋１３４の底部に集積される紙幣が水平方向に対して傾いてしまうことを防止することができるため紙幣収納袋１３４内の紙幣の集積状態を安定させることができる。
【００８４】
また、本発明による紙葉類処理機やこのような紙葉類処理機に設けられる紙葉類収納機構は、上述した、紙幣の入金処理等の様々な処理を行う紙幣処理機１０やこのような紙幣処理機１０に設けられる紙幣収納機構３２、１３２等に限定されることはない。本発明による紙葉類処理機や紙葉類収納機構として、紙幣以外の小切手、商品券等の紙葉類の処理を行うことができるものが用いられてもよい。
【符号の説明】
【００８５】
１０      紙幣処理機
１２      筐体
１４      上部ユニット
１６      下部ユニット
２０      投入部
２０ａ    紙幣繰出機構
２２      投出部
２２ａ    羽根車
２２ｂ    羽根車駆動部
２４      搬送部
２５      分岐搬送部
２６      識別部
３０      収納繰出部
３０ａ    ドラム
３１      テープ
３２、３２ａ  紙幣収納機構
３４      紙幣収納袋
３４ａ    突出部
３４ｂ    開口
３４ｃ    目印
３６      保持部材
３６ａ    ピン
３６ｋ    枠体
３６ｐ    ガイドピン
３６ｑ    長穴
３７      パンタグラフ
３８      加熱部材
３９      片寄せレバー
３９ａ    片寄せレバー駆動部
４０      ステージ
４１      ステージ駆動部
４２      加熱部材
４４      一時保留部
４４ａ    軸
４６、４６ａ    押し込み板
４６ｂ、４６ｃ  押し込み部分
４７      パンタグラフ
４８      紙幣送り出し部
５０      制御部
５２      操作表示部
５４      記憶部
５６      印字部
５８      通信インターフェース部
６０      撮像部
６２      光源
１３２    紙幣収納機構
１３４    紙幣収納袋
１３４ａ  開口
１３６    保持部材
１３６ａ  ピン
１４０    ステージ
１４０ａ  開口
１４１    ガイド部材
１４１ａ  長穴
１４６    押し込み板
【図１】
2018070270.tif 000003
【図２】
2018070270.tif 000004
【図３】
2018070270.tif 000005
【図４】
2018070270.tif 000006
【図５】
2018070270.tif 000007
【図６】
2018070270.tif 000008
【図７】
2018070270.tif 000009
【図８】
2018070270.tif 000010
【図９】
2018070270.tif 000011
【図１０】
2018070270.tif 000012
【図１１】
2018070270.tif 000013
【図１２】
2018070270.tif 000014
【図１３】
2018070270.tif 000015
【図１４】
2018070270.tif 000016
【図１５】
2018070270.tif 000017
【図１６】
2018070270.tif 000018
【図１７】
2018070270.tif 000019